(57)【要約】【課題】  光ファイバケーブルのような衝撃に弱いケーブルを配線する場合に、誤って衝撃を与えることなく壁面に固定し、伝送特性を劣化させることなく適正に保持することができ、ケーブルの容易な取付け取外しを可能にし、かつ任意のケーブルに適正な把持力を加え、撤去後も美観を損ねないことを実現するケーブル用ステップルを提供する。【解決手段】  ケーブルの設置場所に固定されると共に、尖塔形状をした棒状の針部３が設けられた台座部１と、台座部１と共にケーブルを把持するケーブル保持部２とを有し、ケーブルの設置場所に針部３をねじ込み、ケーブルを台座部１にセットした後、ケーブル保持部２を台座部１に装着することによって、ケーブルが固定される。【選択図】  図１
2005176491.tif 000002
【特許請求の範囲】
【請求項１】
ケーブルの設置場所に固定されると共に、尖塔形状をした棒状の針部（３）が設けられた台座部（１）と、
前記台座部（１）と共にケーブルを把持するケーブル保持部（２）と、
を有し、
ケーブルの設置場所に前記針部（３）をねじ込み、ケーブルを前記台座部（１）にセットした後、前記ケーブル保持部（２）を前記台座部（１）に装着することによって、ケーブルが固定されることを特徴とするケーブル用ステップル。
【請求項２】
前記台座部（１）は、角部分が円形または面取りされていることを特徴とする請求項１に記載のケーブル用ステップル。
【請求項３】
前記ケーブル保持部（２）は、前記台座部（１）に対してヒンジ構造によって、開閉可能に取り付けられていることを特徴とする請求項１または２に記載のケーブル用ステップル。
【発明の詳細な説明】
【技術分野】
【０００１】
本発明は、主にビル構内、宅内の壁面、床、天井、および屋外壁面（以下、壁面等という）に対して、光ファイバケーブルのような衝撃に弱いケーブルを配線する際に用いられる、固定材料として有用なケーブル用ステップルに関する。
【背景技術】
【０００２】
光ファイバケーブルのような衝撃に弱いケーブルを配線するために、各種の方法があり、その中で、このケーブルを壁面等に配線するためにステップルを用いる方法がある。さらに、ステップルを壁面等に固定するために、各種の方法がある。たとえば、前記のステップルを、釘を打ち込んで固定する方法（特許文献１参照）がある。また、前記のステップルを木ねじで固定する方法や、両面テープで固定する方法もある。
【特許文献１】特開２００３−２０７６５１号（特願２００２−４３０６号）公報
【発明の開示】
【発明が解決しようとする課題】
【０００３】
ところで、ステップルを用いてケーブルを配線する方法には、次のような課題がある。釘を打ち込む方法や木ねじで固定する方法には、壁に大きな穴を空ける必要があり、配線替えが発生した際には、穴跡が美観を損ねることがある。また、ベニア板のような柔らかい所には、釘を打ち込むことが困難である。両面テープで固定する方法はプラスチックやガラス面には有効であるが、壁紙には有効でない。つまり、壁紙の凹凸により施行後に剥がれることがある。また、配線替えの時は壁紙ごと剥がれ、美観を損ねることがある。
【０００４】
本発明の目的は、前記の課題を解決し、光ファイバケーブルのような衝撃に弱いケーブルを配線する場合に、誤って衝撃を与えることなく壁面に固定し、伝送特性を劣化させることなく適正に保持することができ、ケーブルの容易な取付け取外しを可能にし、かつ任意のケーブルに適正な把持力を加え、撤去後も美観を損ねないことを実現するケーブル用ステップルを提供することにある。
【課題を解決するための手段】
【０００５】
前記課題を解決するために、請求項１の発明は、ケーブルの設置場所に固定されると共に、尖塔形状をした棒状の針部が設けられた台座部と、前記台座部と共にケーブルを把持するケーブル保持部とを有し、ケーブルの設置場所に前記針部をねじ込み、ケーブルを前記台座部にセットした後、前記ケーブル保持部を前記台座部に装着することによって、ケーブルが固定されることを特徴とするケーブル用ステップルである。
請求項２の発明は、請求項１に記載のケーブル用ステップルにおいて、前記台座部は、角部分が円形または面取りされていることを特徴とする。
請求項３の発明は、請求項１または２に記載のケーブル用ステップルにおいて、前記ケーブル保持部は、前記台座部に対してヒンジ構造によって、開閉可能に取り付けられていることを特徴とする。
【０００６】
本発明によれば、ケーブルを配線するルートに台座部をあらかじめねじ込み等により固定し、その後、ケーブル保持部により光ファイバケーブルを固定することができる構造である。これによって、台座部はねじ込み等により固定してあるので、固定した後も容易に台座部およびケーブル保持部を撤去可能な構造である。また、台座部にねじ込む際に、容易に台座部が回転できるように円形もしくはコーナに面する角を面取りした構造である。ケーブル保持部はヒンジ構造でケーブルの固定と解除が容易に行える構造である。
【０００７】
つまり、本発明によれば、衝撃に弱いケーブルを露出配線する場合に、誤ってケーブルに衝撃を与えることがないので、ステップルを打ち込む作業を安全に行うことができる。また、台座部の固定の際に画鋲状の微細な穴しか空かないので、本発明によるケーブル用ステップル撤去後も、美観を損ねることがない。
【発明の効果】
【０００８】
本発明のケーブル用ステップルによれば、光ファイバケーブルを壁面等に固定する際に、このケーブルを誤って損傷または特性劣化することがなくなり、ケーブル配線作業を安全にかつ確実に行うことができる。
【発明を実施するための最良の形態】
【０００９】
つぎに、本発明の実施形態について説明する。本実施形態によるケーブル用ステップルは、衝撃に弱いケーブルとして例えば光ファイバケーブルを保持する。このケーブル用ステップルは、図１に示すように、台座部１とケーブル保持部２と針部３とで構成されている。台座部１とケーブル保持部２とはヒンジ構造４で連結されている。台座部１とケーブル保持部２とは、プラスチック成型によって作られている。このとき、台座部１とケーブル保持部２との接続部分を、厚さを薄くして細帯状に成型してヒンジ構造４を作る。こうしたヒンジ構造４によって、図２に示すように、ケーブル保持部２は台座部１に対して開閉可能になる。
【００１０】
台座部１は、ケーブル保持部２と共に光ファイバケーブルを保持する。このために、台座部１には、光ファイバケーブル１０１（図２）を入れるための凹状の溝１１が、台座部１の表面１Ａに設けられている。光ファイバケーブル１０１を挟んだときに、台座部１の側面１Ｂから光ファイバケーブル１０１が滑ることを防ぐために、溝１１の底面部分１２には鋸歯状の突起１３が複数設けられている。
【００１１】
台座部１の正面１Ｃには係合部分１４が設けられている。係合部分１４は、ケーブル保持部２の後述するカギ部分２２と共にロック部を構成する。係合部分１４のくさび状突起１４Ａがカギ部分２２と合わさって、カギ部分２２が係合部分１４にロックされる。
【００１２】
台座部１の正面１Ｃは、円形状に加工されている。具体的には、台座部１の角部分が円弧状に切り取られて、正面１Ｃが形成されている。この様子を、図３を用いて説明する。なお、図３は台座部１の裏面１Ｄを示す底面図である。図３に示すように、正面１Ｃの円弧状の中心が位置Ａ（以下、中心位置Ａという）であり、円弧は半径Ｒの円の一部である。つまり、中心位置Ａを中心にして台座部１の角部分が半径Ｒの円形状に切り取られて、円弧状の正面１Ｃが形成されている。
【００１３】
正面１Ｃの円弧状の中心位置Ａには、裏面１Ｄに対して垂直に、細長形状の針部３が取り付けられている（図３）。針部３の先端は尖塔状に形成され、針部３のねじ込みを可能にしている。針部３は、例えば画鋲の針のようなものである。そして、円弧状の正面１Ｃを台座部１に形成し、針部３を中心位置Ａに取り付けることによって、台座部１を壁面コーナ部に取り付ける際に、台座部１のねじ込みを簡単にすることができる。
【００１４】
台座部１には、ヒンジ構造４を介してケーブル保持部２が開閉可能に取り付けられている。ケーブル保持部２の表面２Ａに、かつ、溝１１と向かい合う部分には、鋸歯状の突起２１が複数設けられている。突起２１は、台座部１の鋸歯状の突起１３と共に、把持された光ファイバケーブルの滑りを防いでいる。
【００１５】
ケーブル保持部２は台座部１と同様に角部分が円弧状に切り取られ、円弧状の正面２Ｂが形成されている。ケーブル保持部２の正面２Ｂ側の表面２Ａには、Ｌ字形のカギ部分２２が設けられている。Ｌ字形のカギ部分２２は、台座部１の係合部分１４のくさび状突起１４Ａとかみ合って、ケーブル保持部２は台座部１にロックされる。
【００１６】
本実施形態によるケーブル用ステップルは前記の構成である。このケーブル用ステップルは、次のようにして用いられる。光ファイバケーブルを、例えば壁面コーナ部に配線するとき、図４に示すように、本実施形態によるケーブル用ステップルの針部３を壁面に差し込む。このとき、作業者は、ケーブル用ステップルの円弧状の正面１Ｃ、２Ｂを壁面のコーナ部２０１に接触するように、針部３を差し込む。そして、中心位置Ａを中心にして、ケーブル用ステップルを時計方向Ｂ１、反時計方向Ｂ２に交互に回し、針部３を壁面にねじ込む。これによって、ケーブル用ステップルを簡単に壁面のコーナ部２０１に隣接して固定することができる。
【００１７】
この後、作業者は、台座部１の溝１１に光ファイバケーブルを入れた後、ケーブル保持部２を閉じる。このとき、台座部１の係合部分１４とケーブル保持部２のカギ部分２２とで構成されるロック部によって、ケーブル保持部２は台座部１にロックされる。そして、光ファイバケーブルは、台座部１の突起１３とケーブル保持部２の突起２１とによって把持される。
【００１８】
壁面に取り付けられたケーブル用ステップルを取り除く場合、作業者は、ケーブル用ステップルを挟んで壁面から取り除くか、壁面と台座部１の裏面１Ｄとの間にマイナスドライバのような平板状のものを差し込んで取り除く。また、壁面と台座部１の裏面１Ｄとの間に画鋲抜きのような道具を差し込んで、ケーブル用ステップルを取り除く。
【００１９】
こうして、本実施形態のケーブル用ステップルによれば、針部３を壁面等にねじ込み、光ファイバケーブルを台座部１にセットした後、ケーブル保持部２を台座部１に装着することで、壁面等に光ファイバケーブルを簡単に固定することができる。また、壁面コーナ部にケーブル用ステップルを取り付けるとき、角が円形状に加工されているので、針部３を簡単にねじ込むことができる。この結果、誤ってケーブルに衝撃を与えることがなく、ステップルの打ち込み作業を安全に行うことができる。また、台座部１に対してケーブル保持部２が開閉するので、台座部１を壁面等に固定した状態で、光ファイバケーブルの固定と解除とを行うことができる。また、壁面等に対して細長形状の針部３を用い、かつ、台座部１をねじ込み等で固定しているので、ケーブル用ステップルを壁面等から容易に撤去可能にすることができる。さらに、台座部１を固定するときに、針部３により画鋲状の微細な穴しか空かないので、ケーブル用ステップル撤去後も、美観を損ねることがない。
【００２０】
以上、本発明の実施形態を詳述してきたが、具体的な構成は本実施形態に限られるものではなく、本発明の要旨を逸脱しない範囲の設計変更等があっても、本発明に含まれる。たとえば、本実施形態では、ケーブル用ステップルの角が円形状にされているが、図５に示すように、壁面に面する角を面取りしてもよい。この場合には、ケーブル用ステップルを壁面等に取り付けるとき、図６に示すように、面取りによって形成された角がコーナ部２０１に接触した状態で、ケーブル用ステップルの針部３を壁面等に差し込み、ケーブル用ステップルを時計方向Ｂ１、反時計方向Ｂ２に交互に回し（図５）、針部３を壁面にねじ込む。
【００２１】
また、本実施形態では、ヒンジ構造４と１つのロック部とによってケーブル保持部２を台座部１に固定したが、台座部１からケーブル保持部２を切り離し、台座部１およびケーブル保持部２にロック部を２つ設ける。この構造のケーブル用ステップルを用いるときには、台座部１を壁面等に取り付け、台座部１に光ファイバケーブルをセットした後、ケーブル保持部２を台座部１に被せ、２つのロック部によってケーブル保持部２を台座部１に固定してもよい。
【図面の簡単な説明】
【００２２】
【図１】本発明の実施形態によるケーブル用ステップルを示す斜視図である。
【図２】図１のケーブル保持部を閉じた状態を示す斜視図である。
【図３】図１の台座部の裏面を示す底面図である。
【図４】図１のケーブル用ステップルを用いた配線を説明する説明図である。
【図５】面取りの他の例を説明する説明図である。
【図６】図５のケーブル用ステップルを用いた配線を説明する説明図である。
【符号の説明】
【００２３】
１  台座部
１Ａ  表面
１Ｂ  側面
１Ｃ  正面
１Ｄ  裏面
１１  溝
１２  底面部分
１３  突起
１４  係合部分
１４Ａ  くさび状突起
２  ケーブル保持部
２Ａ  表面
２Ｂ  正面
２１  突起
２２  カギ部分
３  針部
４  ヒンジ構造
【図１】
2005176491.tif 000003
【図２】
2005176491.tif 000004
【図３】
2005176491.tif 000005
【図４】
2005176491.tif 000006
【図５】
2005176491.tif 000007
【図６】
2005176491.tif 000008